(57)【要約】【課題】原稿の少なくとも一端を、原稿押え或いは原稿置き台に具備された原稿巻取り装置で巻き取ることにより、原稿を傷めることなく画像形成装置での読み取りを可能にする原稿巻取り機構を提供する。【解決手段】原稿Ｐを巻き取って読み取り面に位置させる原稿巻取り機構は、原稿Ｐをロール状に巻き取る１つまたは複数の原稿巻取り装置１と、原稿Ｐを読み取り面に押え付けるための圧板５２を有する原稿押え装置５１とから構成される。【選択図】      図２
2004248129.tif 000002
【特許請求の範囲】
【請求項１】
原稿を巻き取って読み取り面に位置させる原稿巻取り機構において、原稿をロール状に巻き取る１つまたは複数の原稿巻取り装置と、原稿を読み取り面に押え付けるための圧板を有する原稿押え装置とからなることを特徴とする原稿巻取り機構。
【請求項２】
前記原稿巻取り装置はその軸方向に伸縮可能に構成されていることを特徴とする請求項１に記載の原稿巻取り機構。
【請求項３】
前記原稿巻取り装置は、原稿の略最大読み取り幅に対応する長さを有する主軸と、該主軸の少なくとも一端部に摺動可能に嵌挿された延長軸と、該延長軸に固定されて原稿をロール状に巻き取る案内をする略半円状のガイド板とを備えたことを特徴とする請求項１または請求項２に記載の原稿巻取り機構。
【請求項４】
前記原稿巻取り装置は原稿を巻き取るために、原稿巻取り装置の長手方向の軸に平行な、原稿の端部を挟持するスリットを備えたことを特徴とする請求項１乃至請求項３のいずれかに記載の原稿巻取り機構。
【請求項５】
前記原稿巻取り装置は、前記原稿押え装置の収納部に収納されることを特徴とする請求項１乃至請求項４のいずれかに記載の原稿巻取り機構。
【請求項６】
前記原稿巻取り装置は、前記読み取り面の水平位置よりも下方に収納されることを特徴とする請求項１乃至請求項４のいずれかに記載の原稿巻取り機構。
【発明の詳細な説明】
【０００１】
【発明の属する技術分野】
本発明は、画像形成時に原稿読み取り面で長尺原稿や広幅原稿をロール状に巻き取る原稿巻取り装置を使用した原稿巻取り機構に関する。
【０００２】
【従来の技術】
従来から、長尺原稿や広幅原稿などの大判原稿を画像形成装置で複写したり、ファックス送信したりする場合、このような大判原稿に対応した例えばＡ２〜Ａ０サイズの大判サイズ用の画像形成装置が利用されている。特に最近の画像形成装置は、原稿を傷めないようにするため、原稿読み取り時に原稿を移動させながら読み取る原稿移動読み取り方式よりも、静止した原稿置き台の平面状のガラス（コンタクトガラス）の上に原稿を置き、その下方から原稿読取装置である光学系を移動させながら原稿を読み取る光学系移動方式が採用されている。
【０００３】
上記のような原稿置き台のコンタクトガラスのサイズは、画像形成装置が読み取れる最大サイズにほぼ等しいため、例えば最大読み取りサイズがＡ１サイズの画像形成装置であれば、ほぼＡ１サイズのコンタクトガラスが装置の上部に備わっている。そのコンタクトガラスの面上にＡ１サイズまでの原稿を置き、その上部から原稿押え装置で原稿が浮いたり動いたりしないように押圧する仕組みになっている。また、コンタクトガラスの周囲に同じ高さの平面部があれば、原稿の読み取り部分以外を支える役目をするので、原稿がＡ１サイズより少々大きくても、原稿がずれたり動いたりする可能性も低くなる。
【０００４】
しかし、大判サイズの画像形成装置は、装置自身が既に大型であることから、サイズ的に充分余裕のある原稿置き台を備えるとさらに装置が大型化するため、最大読み取りサイズ以上の原稿を支持する原稿置き台や、サイズに余裕のある原稿押え装置を備えることは少ない。また、大判原稿の中には、Ａ１やＡ２サイズのように定型の規格サイズ以外に、配管や配線などの特殊用途に使用される長尺原稿なども存在している。そのため、長尺原稿や広幅原稿などの大判原稿を取り扱う場合、例えば複写したい部分を画像形成装置の原稿置き台に載せ、その他の部分は折り曲げたり、丸めたり、或いは画像形成装置の周囲に垂らした状態で作業をしていた。
【０００５】
このような作業を行うと、複写するときに原稿がずれたり、皺が寄ったり、折れ曲がったり、反ったりして、原稿を傷める大きな要因になる。また、原稿が傷むと同時に、原稿置き台に載せた原稿の複写したい部分が浮いたり、ずれたりして、複写ミスが発生しやすくなっていた。特に大判原稿を大判用紙に複写する場合、その複写にかかるコストは一般事務用サイズの数倍以上にもなることから、複写ミスの起こりにくい原稿押え装置が求められている。
【０００６】
最大読み取りサイズより大きな原稿を簡単な操作で、かつ原稿を破損することなく読み取り面に位置させることができるように、特許文献１は、大判原稿の一端をロール状に丸めて、原稿押え装置の圧板の開閉軸側に設けられた収納スペースに収納することを提案している。この方法では、例えば長尺や広幅原稿の一端を丸めて収納スペースに収納し、圧板の開閉軸側以外の三方から原稿がはみ出るようにすれば、所望する原稿の部位をコンタクトガラス上に無理なく位置させることが可能である。
【０００７】
【特許文献１】
特開平５−３０７２１４号公報
【０００８】
【発明が解決しようとする課題】
しかし、特許文献１に開示された方法によると、原稿の一端を手で丸めて、収納スペースに押し込むようにして入れる必要がある。この場合、ユーザが手で原稿を丸めて収納スペースに入れるため、収納した原稿の一端を圧板の開閉軸に平行になるように保つとともに原稿が緩まないようにしないと、原稿が斜めにコンタクトガラス上に位置したり、皺が寄ったりする。また、長尺原稿の場合は、原稿の他端を原稿置き台から垂らすため、丸めた原稿の一端が垂らした原稿の自重により緩んだり、位置がずれたりする。さらに、手で丸めるため作業性が悪く、上記の問題が発生しやすくなる。
【０００９】
本発明は、斯かる実状に鑑みなされたものであり、原稿の少なくとも一端を、原稿押え或いは原稿置き台に具備された原稿巻取り装置で巻き取ることにより、原稿を傷めることなく画像形成装置での読み取りを可能にする原稿巻取り機構を提供することを目的とするものである。
【００１０】
【課題を解決するための手段】
上記目的を達成するために、本発明では、原稿を巻き取って読み取り面に位置させる原稿巻取り機構において、原稿をロール状に巻き取る１つまたは複数の原稿巻取り装置と、原稿を読み取り面に押え付けるための圧板を有する原稿押え装置とからなる。
【００１１】
前記の原稿巻取り装置は、広幅の原稿に対応するため、その軸方向に伸縮可能に構成されている。
【００１２】
また、前記の原稿巻取り装置は、原稿の略最大読み取り幅に対応する長さを有する主軸と、該主軸の少なくとも一端部に摺動可能に嵌挿された延長軸と、該延長軸に固定されて原稿をロール状に巻き取る案内をする略半円状のガイド板とを備えている。
【００１３】
さらに、前記の原稿巻取り装置は原稿を巻き取るために、原稿巻取り装置の長手方向の軸に平行な、原稿の端部を挟持するスリットが形成されている。
【００１４】
前記の原稿巻取り装置は、原稿押え装置の収納部に収納される。或いは、別の形態として、読み取り面の水平位置よりも下方に収納してもよい。
【００１５】
【発明の実施の形態】
以下、本発明に係る原稿巻取り装置を図１に基づき説明する。図１は、本発明に係る原稿巻取り装置の概略斜視図である。原稿巻取り装置１は、原稿の最大読み取りサイズに相当する長さを有する主軸部２と、原稿を巻き取るため操作が可能で該主軸部２に対して矢印Ａの方向に摺動可能に嵌挿された第１延長軸部３と、該主軸部２に対して矢印Ｂの方向に摺動可能に嵌挿された第２延長軸部４とにより概略構成される。
【００１６】
主軸部２は、中空の主軸１０と、該主軸１０の軸に平行に形成されたスリット１１とからなる。
【００１７】
第１延長軸部３は、主軸１０の軸に平行でその内周面に対して摺動可能に嵌合する第１引出軸２０と、該第１引出軸２０の軸に沿って形成された第１スリット２１と、第１引出軸２０の外面に軸に平行して形成された複数の突起からなる突起部２２と、該第１引出軸２０に対して同軸上に固定されたハンドル軸２３と、該ハンドル軸２３を回転させるように構成されたハンドル２４と、ハンドル軸２３を回転可能に保持する第１アーム固定軸受け２５と、該第１アーム固定軸受け２５に固着された第１ガイド固定アーム２６と、第１引出軸２０の外周を覆うように第１ガイド固定アーム２６に固定された略半円形の第１ガイド板２７とからなる。
【００１８】
第２延長軸部４は、主軸１０の軸に平行でその内周面に対して摺動可能に嵌合する第２引出軸３０と、該第１引出軸３０の軸に沿って形成された第２スリット３１と、第２引出軸３０の外面に軸に平行して形成された複数の突起からなる突起部３２と、該第２引出軸３０に対して同軸上に固定された回転軸３３と、回転軸３３を回転可能に保持する第２アーム固定軸受け３５と、該第２アーム固定軸受け３５に固着された第２ガイド固定アーム３６と、第２引出軸３０の外周を覆うように第２ガイド固定アーム３６に固定された略半円形の第２ガイド板３７とからなる。
【００１９】
なお、図示していないが、主軸１０の内面には、その軸に沿って前記の突起部２２と３２の各突起と係合するように形成された複数の凹部があり、ハンドル２４からの回転がハンドル軸２３と第１引出軸２０を介して突起部２２と係合する凹部から主軸１０に伝動される。さらに、主軸１０の回転は、突起部３２に係合する凹部を介して、第２引出軸３０に伝動される。また、この突起部２２または３２とそれに係合する凹部は、第１引出軸２０或いは第２引出軸３０を主軸１０に対して摺動させるときに、摺動を段階的に行わせる役目も果たす。
【００２０】
スリット１１と第１スリット２１と第２スリット３１は、図示するように、ほぼ同一線上に並び、これらのスリットで原稿の一端を挟持できるように形成されている。スリットの切れ込みの角度は、原稿の一端を挟持してロール状に巻き付けていくときに、挟持部分に折れ線が付きにくいように主軸１０、第１引出軸２０、第２引出軸３０の外周の接線に対する角度が小さくなるようにするとよい。
【００２１】
次に、前記の原稿巻取り装置１を使用した原稿巻取り機構の第１の実施形態について、図１〜図３を参照して説明する。図２は、本発明の第１の実施形態である片巻き型の原稿巻取り機構を有する画像形成装置の外観斜視図である。図３は、図２で示した画像形成装置の概略側断面図である。
【００２２】
第１の実施形態の片巻き型原稿巻取り機構では、原稿の一端のみ巻き取っていくので原稿巻取り装置１が１つですむため、搭載するスペースを節約できる長所がある。図２と図３の、画像形成装置５０は、原稿押え装置５１の収納部５４に本発明の原稿巻取り装置１を備えている。原稿押え装置５１は、更に、コンタクトガラス５３上に置かれた原稿Ｐを上部から押圧するようにして、コンタクトガラス５３に密着させる圧板５２を備え、画像形成装置５０上部の装置後部（図３の左側）に設けられた開閉軸５７を枢支軸として上下に回動可能に取り付けられている。
【００２３】
大判の原稿Ｐの複写を行う場合、まず、原稿押え装置５１を上に持ち上げるように開き、収納部５４を露出させる。次に、原稿Ｐの複写部位がコンタクトガラス５３上に位置するように、原稿Ｐを幅方向に移動する。その原稿Ｐの幅に合うように、原稿巻取り装置１の第１延長軸部３と第２延長軸部４を矢印ＡとＢのように摺動させる。この状態で、原稿Ｐの一端をスリット１１、第１スリット２１、第２スリット３１に挟持させて、ハンドル２４を回し原稿Ｐを必要な個所まで巻き取って行く。こうして、原稿Ｐの長さ方向及び幅方向に対して複写しようとする所定の部位がコンタクトガラス５３上に位置すると、圧板５２で原稿Ｐがコンタクトガラス５３に密着するように原稿押え装置５１を閉じる。
【００２４】
この場合、原稿Ｐのサイズと複写する部位によっては、図２のように画像形成装置５０の上部或いは原稿押え装置５１から原稿Ｐの三方がはみ出すこともあるが、その一端が原稿巻取り装置１により確実に保持され、複写部位が圧板５２により押えられているので、原稿Ｐがずれたり、皺が寄ったりする可能性は大幅に低減する。また、図３では、原稿Ｐの一端を反時計方向に巻き取るように矢印で図示している。この巻き取り操作にともなって第１ガイド板２７と第２ガイド板３７も回転しようとするが、この回転の伝動は、係止ピン５５によって第１ガイド板２７と第２ガイド板３７が係止されるので、同時に回転することはない。また、係止ピン５５は、いずれの回転方向に対しても第１ガイド板２７と第２ガイド板３７を係止するので、原稿Ｐをいずれの方向に巻き取っても問題はない。
【００２５】
これまでに説明した第１の実施形態によると、原稿巻取り装置１の第１延長軸部３と第２延長軸部４とが独立して摺動することにより、最大原稿読み取り幅よりも広幅の原稿Ｐであっても、原稿Ｐの幅方向のはみ出しが、左右対称／非対称に係らず原稿Ｐの一端を確実に保持することができる。しかし、特殊用途の図面などで、長尺原稿を取り扱う頻度が高く、原稿Ｐの他端の垂れ下がりによって複写作業の効率が低下する場合は、後述する第２の実施形態を利用するとよい。
【００２６】
第２実施形態では、特に長尺原稿を扱う場合の作業効率を上げるため、原稿巻取り装置１を２つ使用する原稿巻取り機構を採用している。以下に、本発明の第２の実施形態を図１と図４と図５を参照しながら説明する。図４は、本発明の第２の実施形態である両巻き型の原稿巻取り機構を有する画像形成装置の外観斜視図である。図５は、図４の画像形成装置の側断面図である。
【００２７】
図４と図５で、画像形成装置５０は、コンタクトガラス５３の両端の下方に位置する収納部５４ａと５４ｂにそれぞれ本発明の原稿巻取り装置１ａと１ｂとをそれぞれ備えている。尚、原稿巻取り装置１ａと１ｂは前述した原稿巻取り装置１と同じものである。また、原稿巻取り装置１ａと１ｂの装脱を容易にするために、収納部５４ａと５４ｂの上部に上蓋５６ａと５６ｂとがそれぞれ開閉自在の取り付けられている。原稿押え装置５１は、コンタクトガラス５３上に置かれた原稿を上部から押圧するようにして、コンタクトガラス５３に密着させる圧板５２を備え、画像形成装置５０上部の装置後部（図５の左側）に設けられた開閉軸５７を枢支軸として上下に回動可能に取り付けられている。
【００２８】
長尺の原稿Ｐの複写を行う場合、まず、原稿押え装置５１を上に持ち上げるように開き、上蓋５６ａを開くとともに、原稿巻取り装置１ａのスリット１１、第１スリット２１、第２スリット３１に原稿Ｐの一端を挟持させて、必要に応じて原稿Ｐを巻き取る。次に、上蓋５６ｂを開くとともに、原稿巻取り装置１ｂのスリット１１、第１スリット２１、第２スリット３１に原稿Ｐの他端を挟持させて、必要に応じて原稿Ｐの他端を巻き取る。原稿Ｐの幅方向の複写部位がコンタクトガラス５３上に位置するように、原稿Ｐを幅方向に移動する。その際、その原稿Ｐの幅に合うように、原稿巻取り装置１ａと１ｂの第１延長軸部３と第２延長軸部４を摺動して移動させる。この状態で、原稿Ｐの長さ方向の複写部位がコンタクトガラス５３上に位置するように、原稿巻取り装置１ａと１ｂのそれぞれのハンドル２４を適切な方向に回転させる。このようにして、原稿Ｐの長さ方向及び幅方向に対して複写しようとする所定の位置がコンタクトガラス５３上に位置すると、圧板５２で原稿Ｐがコンタクトガラス５３に密着するように原稿押え装置５１を閉じる。
【００２９】
この場合、原稿Ｐの幅と複写する部位によっては、原稿Ｐが原稿押え装置５１から幅方向にはみ出すこともあるが、その長さ方向の一端と他端とが原稿巻取り装置１ａと１ｂによりそれぞれ確実に保持され、複写部位が圧板５２により押えられているので、原稿Ｐがずれたり、皺が寄ったりする可能性は大幅に低減する。また、図５では、原稿Ｐの他端を時計方向に巻き取るようにしている。この巻き取り操作にともなって第１ガイド板２７と第２ガイド板３７も回転しようとするが、この回転の伝動は、係止ピン５５によって第１ガイド板２７と第２ガイド板３７が係止されるので、同時に回転することはない。また、係止ピン５５は、いずれの回転方向に対しても第１ガイド板２７と第２ガイド板３７を係止するので、原稿Ｐをいずれの方向に巻き取っても問題はない。
【００３０】
また、上記の操作の説明で、収納部５４ａと５４ｂに収納されている原稿巻取り装置１ａと１ｂのそれぞれに原稿Ｐの一端と他端とを巻きつけていく方法を説明したが、原稿Ｐが特に長尺である場合、例えば、原稿巻取り装置１ｂを画像形成装置５０から取り外し、画像形成装置５０の外であらかじめ原稿Ｐを原稿巻取り装置１ｂに巻き取っておき、それから、画像形成装置５０に戻して、原稿巻取り装置１ｂに巻き取った原稿Ｐの終端を原稿巻取り装置１ａにあらためて巻き付けるようにしてもよい。このようにすれば、作業がさらに容易になって、原稿Ｐを傷める可能性を低くすることができる。
【００３１】
前述した第２の実施形態では、収納部５４ａと５４ｂとも原稿Ｐの読み取り面よりも低い位置に設けた例を示したが、実施する画像形成装置５０の構造によっては、収納部５４ａを、例えば図２と図３の収納部５４と同じ位置に設け、コンタクトガラス５３を挟んで収納部５４と対向する位置に収納部５４ｂを設けてもよい。すなわち原稿巻取り装置１ａと１ｂとも原稿Ｐの読み取り面よりも高い位置に取り付けてもよい。また、原稿巻取り装置１ａと１ｂの一方を原稿Ｐの読み取り面よりも高い位置に、他方を低い位置に取り付けることも可能である。
【００３２】
前述した第１と第２の実施形態とも、長尺或いは広幅の大判原稿を例に挙げて説明したが、これは、例えば画像形成装置の最大原稿読取サイズに対しての相対的な大きさであり、小サイズの最大原稿読取サイズを有する画像形成装置の場合、その最大原稿読取サイズよりも原稿が長尺或いは広幅であれば、具体的な原稿のサイズに限定されるものではない。
【００３３】
【発明の効果】
本発明によると、その一端が原稿巻取り装置により確実に保持され、複写部位が圧板により押えられているので、原稿がずれたり、皺が寄ったりする可能性が大幅に低減する。さらに、原稿巻取り装置に原稿の幅方向に延長可能な延長軸部が備わっているので、最大原稿読み取り幅よりも広幅の原稿であっても、原稿の幅方向のはみ出しが左右対称／非対称に係らず原稿の一端を確実に保持することができ、作業効率の向上とともに、原稿のずれや皺寄りの可能性をより一層低減させることが可能になる。
【００３４】
さらに本発明では、２つの原稿巻取り装置で原稿の両端を巻き取ることが可能で、特に長尺原稿の場合は、その取り扱いが容易になり、原稿がずれたり、原稿を傷めたりする可能性が大幅に低減する。原稿を両巻きする場合であっても、原稿の幅方向のはみ出しが左右対称／非対称に係らず原稿の両端で確実に保持することができ、作業効率の向上とともに、原稿のずれや皺寄りの可能性をより一層低減させることが可能になる。
【００３５】
また、原稿のずれや皺寄りの発生が大幅に低下することから、それが原因で発生していた特に大判サイズの複写ミスが低減し、コストの無駄を防止することにつながる。
【図面の簡単な説明】
【図１】本発明に係る原稿巻取り装置の概略斜視図である。
【図２】本発明の第１の実施形態である片巻き型の原稿巻取り機構を有する画像形成装置の外観斜視図である。
【図３】図２で示した画像形成装置の概略側断面図である。
【図４】本発明の第２の実施形態である両巻き型の原稿巻取り機構を有する画像形成装置の外観斜視図である。
【図５】図４で示した画像形成装置の概略側断面図である。
【符号の説明】
１、１ａ、１ｂ  原稿巻取り装置
２    主軸部
３    第１延長軸部
４    第２延長軸部
１０  主軸
１１  スリット
２０  第１引出軸
２１  第１スリット
２２、３２  突起部
２３  ハンドル軸
２４  ハンドル
２６  第１ガイド固定アーム
２７  第１ガイド板
３０  第２引出軸
３１  第２スリット
３３  回転軸
３６  第２ガイド固定アーム
３７  第２ガイド板
５０  画像形成装置
５１  原稿押え装置
５２  圧板
５３  コンタクトガラス
５４、５４ａ、５４ｂ  収納部
５５  係止ピン
５６ａ、５６ｂ  上蓋
５７  開閉軸
【図１】
2004248129.tif 000003
【図２】
2004248129.tif 000004
【図３】
2004248129.tif 000005
【図４】
2004248129.tif 000006
【図５】
2004248129.tif 000007